(57)【要約】      （修正有）【課題】梯子の先端等の細長い棒状の支持構造物に、安全帯のフックが連結される連結部を簡単な動作で固定することできる安全帯連結用治具を提供する。【解決手段】安全帯連結用治具１は、支持構造物Ｓが挿入できる中空部を有する筒状部材２と、筒状部材に取付けられた連結部４と、を備える。また、支持構造物が中空部から抜けることを防止する抜け防止装置（ネジ部材１２）を備える。【選択図】図２
0003214163.tif 000002
【実用新案登録請求の範囲】
【請求項１】
安全帯連結用治具であって、
支持構造物が挿入できる中空部を有する筒状部材と、
該筒状部材に取付けられた連結部と、を備えている、
ことを特徴とする安全帯連結用治具。
【請求項２】
前記中空部に挿入された前記支持構造物が前記中空部から抜けることを防止する抜け防止装置と、を備えている、
請求項１に記載の安全帯連結用治具。
【請求項３】
前記筒状部材の中空部の長さＬと前記中空部の内径Ｄの比率Ｌ/Ｄが６以上である、
請求項１または２に記載の安全帯連結用治具。
【請求項４】
前記抜け防止装置が、前記筒状部材の側壁に形成されたねじ穴を有している、
請求項１ないし３のいずれか１項に記載の安全帯連結用治具。
【考案の詳細な説明】
【技術分野】
【０００１】
本考案は安全帯連結用治具に関し、詳細には、梯子の先端のような細長い支持構造物に安全帯を連結するための安全帯連結用治具に関する。
【背景技術】
【０００２】
建物の建設、または建造物あるいはその付属施設のメインテナンス等は高所での作業を伴う。このような高所作業においては、安全帯を使用する等して作業者の安全を確保することが法律で求められている。
【０００３】
安全帯は、高所作業を行う場合に使用する命綱付きベルトであり、概略的には、命綱としてのロープ部分と、それを支持物に固定するためのフック、および墜落時に人体を保持するためのベルトから構成されている。そして、ベルトを作業者が装着し、フックを建物(構造物)側の支持構造物に連結することによって、万一の際の作業者の転落を防止している。
【０００４】
安全帯のフックを構造物の一部である支持構造物に連結するために構造物に固定される種々の安全帯連結用治具が提案されている(特許文献１)。
この引用文献１の治具は、安全帯のフックとの連結部(フック連結部)となるフック取付孔が一端に形成された略Ｕ形状を有し、開口部に板状の構造物を差し込んだ状態で、他端側のねじ穴から締め付けボルトをねじ込むことで、構造物に固定される構造を有している。
【０００５】
このような安全帯連結用治具を構造物に固定することによって、治具に設けられたフック連結部が構造物に固定され、作業者は、装着している安全帯のフックを治具のフック連結部に連結することにより、安全帯連結用治具を介して、自身の身体の確保を図ることができる。
【０００６】
しかしながら、この安全帯連結用治具は板状の構造物に固定することはできるが、梯子の先端等の細長い棒状の構造物には、固定することができなかった。さらに、他の従来技術の治具も、梯子の先端等の細長い棒状の構造物には、固定することができなかった。
【０００７】
このように、従来技術の安全帯連結用治具は、梯子の先端等の細長い棒状の構造物に固定することが困難であるという問題があった。
【先行技術文献】
【特許文献】
【０００８】
【特許文献１】特開平11-131821号公報
【考案の概要】
【考案が解決しようとする課題】
【０００９】
本考案はこのような点に鑑みなされたものであり、梯子の先端等の細長い棒状の構造物に、簡単な動作で固定することできる安全帯連結用治具を提供することを目的としている。
【課題を解決するための手段】
【００１０】
本考案によれば、
安全帯連結用治具であって、
一端側の開口部から前記支持構造物が挿入される中空部を有する筒状部材と、
該筒状部材に取付けられた連結部と、を備えている、
ことを特徴とする安全帯連結用治具が提供される。
【００１１】
このような構成によれば、梯子の支柱先端部のような棒状の支持構造物に筒状部材の中空部をかぶせる(即ち、中空部の開口部から中空部に支持構造物を挿入する)という簡単な操作で、安全帯連結用治具を構造物側の部材である梯子の支柱先端部のような棒状の支持構造物に固定することができる。
【００１２】
作業者は、安全帯連結用治具の連結部に自分が装着している安全帯のフック部を連結することにより、安全帯連結用治具を介して構造部側につながれ、転落等を防止することができる。
【００１３】
本考案の他の好ましい態様によれば、
前記中空部に挿入された前記支持構造物が前記中空部から抜けることを防止する抜け防止装置と、を備えている。
【００１４】
このような構成によれば、安全帯連結用治具が支持構造物から抜け落ちることを防止できる。
【００１５】
本考案の他の好ましい態様によれば、
前記筒状部材の中空部の長さＬと前記中空部の内径Ｄの比率Ｌ/Ｄが２以上であり、より好ましくは６以上である。
【００１６】
このような構成によれば、安全帯連結用治具が、梯子の支柱先端部のような細長い支持構造物から抜け落ちにくくなり、作業者の安全がより確実に確保される。更に、比率Ｌ／Ｄが６以上の場合には、フック連結部にフック部を連結し荷重がかかった際に、より抜け落ちにくくなる。
【００１７】
本考案の他の好ましい態様によれば、
前記フック連結部が、前記筒状部材の一端に取付けられている。
【００１８】
このような構成によれば、安全帯のフックを、フック連結部に連結する作業が容易となり、さらに、安全帯のフックに接続されているロープ部が、作業者の移動に伴って、梯子の支柱先端部のような細長い支持構造物と干渉することが少なくなる。
【００１９】
本考案の他の好ましい態様によれば
前記フック連結部が、前記筒状部材の一端に対して回転可能である。
【００２０】
このような構成によれば、安全帯のフックを、フック連結部に連結する作業がより容易となり、さらに、作業者が細長い支持構造物を中心に移動しても、フック連結部の作業者に対する配向が変化しないので、作業者の移動が容易となる。
【００２１】
本考案の他の好ましい態様によれば、
前記抜け防止装置が、前記筒状部材の側壁に形成されたねじ穴を有している。
【００２２】
このような構成によれば、梯子の支柱先端部のような棒状の支持構造物に筒状部材の中空部をかぶせた(即ち、支持構造物を中空部の開口から中空部に挿入した)後、ねじ穴にねじ部材等をねじ込むという簡単な操作により、安全帯連結用治具が細長い支持構造物から抜け落ちることを防止できる。
【００２３】
本考案の他の好ましい態様によれば、
前記ねじ穴が、前記環状のフック連結部の中心軸が延びる方向に延びている。
【００２４】
このような構成によれば、
作業者が、梯子の最上部に到達し、本考案の安全帯連結用治具を支柱先端部に差し込み、ネジ部材を、手前となる方向にしてねじ込んだ場合に、フック連結部の開口方向がネジ部材と同方向、すなわち手前方向となり、梯子を上りきる際にフック連結部が作業者と干渉し難くなるので好ましい。
【００２５】
本考案の他の好ましい態様によれば、
前記抜け防止装置が、先端が該中空部の一端側の開口部から他端方向に向かって延びるように基端が前記筒状部材の中空部の内面に取付けられたフラップ状部材である。
【００２６】
このような構成によれば、安全帯連結用治具を支持構造物に固定した後に追加の操作を行うこと無く、安全帯連結用治具が細長い支持構造物から抜け落ちることが抑制される。
【考案の効果】
【００２７】
上記のような構成を有している本願考案によれば、梯子の先端等の細長い棒状の支持構造物に、簡単な動作で固定することできる安全帯連結用治具が提供される。
【図面の簡単な説明】
【００２８】
【図１】本考案の好ましい実施形態の安全帯連結用治具の分解斜視図である。
【図２】図１の安全帯連結用治具の使用状態の一例を説明する図面である。
【図３】本考案の他の好ましい実施形態の安全帯連結用治具の一部分を模式的に示す図面である。
【図４】本考案の他の実施形態で使用される筒状部材の模式的な（ａ）側面図および（ｂ）横断面図である。
【図５】本考案の他の実施形態で使用される筒状部材の模式的な（ａ）側面図および（ｂ）横断面図である。
【図６】本考案の他の実施形態で使用される筒状部材の模式的な（ａ）側面図および（ｂ）横断面図である。
【図７】本考案の他の実施形態で使用される筒状部材の模式的な（ａ）側面図および（ｂ）横断面図である。
【図８】本考案の他の実施形態で使用される筒状部材の模式的な（ａ）側面図および（ｂ）横断面図である。
【図９】本考案の他の実施形態で使用される筒状部材の模式的な側面図である。
【図１０】本考案の他の実施形態で使用されるフック連結部の模式的な側面図（ａないしｃ）である。
【図１１】本考案の他の実施形態で使用されるフック連結部の模式的な側面図である。
【考案を実施するための形態】
【００２９】
以下、図面に沿って、本考案の好ましい実施形態の安全帯連結用治具１について説明する。図１は、本考案の好ましい実施形態の安全帯連結用治具１の分解斜視図であり、図２は、安全帯連結用治具１の使用状態の一例を説明する図面である。
【００３０】
図１に示されているように、本考案の安全帯連結用治具１は、筒状部材２と、筒状部材２の先端に取付けられた環状のフック連結部(連結部)４とを備えている。筒状部材２は、金属製の円筒状部材であり、内部に、一端に開口部６が設けられ他端が閉鎖された略円柱状の中空部８が形成されている。本実施態様では、中空部８は、長さＬと内径Ｄの比率Ｌ/Ｄが２以上であるように設定されている。比率Ｌ／Ｄが、６以上であるように設定されているのが、更に好ましい。
【００３１】
フック連結部４は、筒状部材２の他端に溶接等によって固定された金属製の環状部材であり、高所作業等で使用される安全帯のフックが連結可能な寸法形状とされている。
【００３２】
フック連結部４を、筒状部材２の先端に、筒状部材の長手方向軸線を中心に回転可能に連結した構成でもよい。さらに、フック連結部４を、筒状部材２の先端部の側壁面に取付けた構成でもよい。また、筒状部材２およびフック連結部４は、金属以外の強度が高い材料で構成されていてもよい。
【００３３】
本考案の安全帯連結用治具１は、使用時には、例えば、建造物に固定されている梯子の支柱先端部のような細長い支持構造物Ｓに被せる、即ち細長い支持構造物Ｓを、開口部６から中空部８に挿入することによって、細長い支持構造物Ｓに固定される(図２参照)。したがって、開口部６および中空部８は、細長い支持構造物Ｓが挿通可能な寸法形状を有している。
【００３４】
安全帯連結用治具１は、さらに、中空部８に挿入された支持構造物Ｓが中空部８から抜けることを防止する抜け防止装置を備えている。本実施形態の安全帯連結用治具１では、抜け防止装置は、筒状部材２の側壁２ａに形成された２つのねじ穴１０と、ねじ穴１０にねじ込み可能なボルト状のネジ部材１２とを有している。
【００３５】
ねじ穴１０は、環状のフック連結部の中心軸が延びる方向、即ち、環状のフック連結部の中心軸と同一方向に延びるように、筒状部材２の側壁２ａに形成されている。また、ネジ部材１２は、中空部８に挿入された支持構造物Ｓに先端が当接するまでねじ穴１０にねじ込み可能な寸法を有している。なお、ねじ穴１０の位置および数は、適宜変更可能である。
【００３６】
本実施態様の安全帯連結用治具１は、図２に示されているように梯子の支柱先端部等の細長い支持構造物Ｓを中空部８に挿入して、支持構造物Ｓに取付けられた後、ねじ穴１０にネジ部材１２を先端が支持構造物Ｓに当接するまでねじ込むことにより、支持構造物Ｓにしっかりと固定される。支持構造物Ｓから抜け落ちることが防止される。
【００３７】
また、ネジ穴の数は特に限定されるものではないが、２つ以上とすることにより、高所作業者による力がかかった際にも、本実施形態の安全帯連結用治具が動きにくくなる点で、より好ましい。
【００３８】
他の抜け防止装置として、中空部内に設けたフラップ状の部材を用いてもよい。図３は、他の抜け防止装置を備えた、本考案の他の実施形態の安全帯連結用治具２０の一部分を模式的に示す図面である。
【００３９】
図３に示されているように、この抜け防止装置２０中空部６内に径方向に対向して配置された２枚のフラップ状部材１４を備えている。このフラップ状部材１４は、ゴム等の可撓性材料で構成され、先端１４ａ側部分が、中空部８の一端の開口部６側から他端方向に向かって中空部６の径方向内方に向けて延びるように、基端１４ｂが筒状部材２の中空部８の内面に取付けられている。
【００４０】
このようなフラップ状部材１４を備えた安全帯連結用治具２０では、フラップ状部材１４が、中空部８に挿入された支持構造物Ｓの表面に接触することにより、中空部８に挿入された支持構造物Ｓが中空部８から抜け出しにくくなる。
【００４１】
このフラップ状部材１４を、ネジ穴１０とネジ部材１２とを備えた抜け防止装置に加えて使用してもよい。
【００４２】
本考案は、上記実施形態に限定されることなく、実用新案登録請求の範囲の記載の範囲内で種々の変更、変形が可能である。
【００４３】
本願考案は、安全帯連結用治具の治具であるが、安全帯以外の安全器具、ロープ等を細長い支持構造物に連結するために使用することも可能である。
【００４４】
上記実施形態の安全帯連結用治具１,２０では、筒状部材２は円筒状部材であり、中空部８は略円柱状の空間であった。しかしながら、本考案では、筒状部材、および中空部は他の形状でもよい。
【００４５】
例えば、図４ａに模式的に示すように、先端に向かって先細りする裁頭円錐状の外形を有する筒状部材４０を用いても良い。この例では、中空部４２も、先端に向かって先細りする円錐状空間とされている(図４ｂ)。
【００４６】
また、図５ａに模式的に示すように、四角形の外形を有する筒状部材５０を用いても良い。この例では、中空部５２は、直方体状空間とされている(図５ｂ)。
さらに、図６ａに模式的に示すように、四角錐台状の外形を有する筒状部材６０を用いても良い。この例では、中空部６２も先端に向けた先細りする四角錐台状の空間とされている(図６ｂ)。
【００４７】
また、図７ａに模式的に示すように、三角形の横断面形状を有する筒状部材７０を用いても良い。この例では、中空部７２は、三角柱状空間とされている(図７ｂ)。
さらに、図８ａに模式的に示すように、三角錐台状の外形を有する筒状部材８０を用いても良い。この例では、中空部８２も先端に向けた先細りする三角錐台状の空間とされている(図８ｂ)。
【００４８】
更に、図９に模式的に示すように、外径が異なる円筒状部分を連結して構成した筒状部材９０を用いても良い。さらに、外径が異なる三角、四角、あるいは他の多角形の断面を有する筒状部分を連結して構成した筒状部材を用いても良い。
【００４９】
筒状部材の形状および中空部の形状には特に制限はなく、支持構造物Ｓ等の使用状況に応じ、適宜変更可能である。
【００５０】
さらにまた、上記実施形態の安全帯連結用治具では、フック連結部４は略円形の環状部材であったが、図１０ａないしｃに、それぞれ、示されているような、三角形、四角形、六角形の環状部材１０ａ、１０ｂ、１０ｃを用いても良い。
【００５１】
さらに、図１１に示されているような、一部がカラビナ状の開閉可能な部分１１ａを有するフック連結部１１を用いても良い。
【符号の説明】
【００５２】
１:安全帯連結用治具
２:筒状部材
４:フック連結部
６:開口部
８:中空部
10:ねじ穴
12:ネジ部材
Ｓ:支持構造物
【図１】
0003214163.tif 000003
【図２】
0003214163.tif 000004
【図３】
0003214163.tif 000005
【図４】
0003214163.tif 000006
【図５】
0003214163.tif 000007
【図６】
0003214163.tif 000008
【図７】
0003214163.tif 000009
【図８】
0003214163.tif 000010
【図９】
0003214163.tif 000011
【図１０】
0003214163.tif 000012
【図１１】
0003214163.tif 000013
【手続補正書】
【提出日】平成29年10月19日(2017.10.19)
【手続補正１】
【補正対象書類名】実用新案登録請求の範囲
【補正対象項目名】全文
【補正方法】変更
【補正の内容】
【実用新案登録請求の範囲】
【請求項１】
安全帯連結用治具であって、
支持構造物が挿入できる中空部を有する筒状部材と、
該筒状部材に取付けられた連結部と、を備えている、
ことを特徴とする安全帯連結用治具。
【請求項２】
前記中空部に挿入された前記支持構造物が前記中空部から抜けることを防止する抜け防止装置と、を備えている、
請求項１に記載の安全帯連結用治具。
【請求項３】
前記抜け防止装置が、前記筒状部材の側壁に形成されたねじ穴を有している、
請求項２に記載の安全帯連結用治具。
【請求項４】
前記筒状部材の中空部の長さＬと前記中空部の内径Ｄの比率Ｌ/Ｄが６以上である、
請求項１ないし３のいずれか１項に記載の安全帯連結用治具。